(57)【要約】【課題】十分な換気をとることができ、かつ耐火性能を備えた軒天材の換気構造を提供する。【解決手段】外壁本体１から突出する屋根（下屋）２の軒天井材７の先端部と、屋根２の軒先部との間に軒先隙間Ｓが設けられており、この軒先隙間Ｓを介して換気を行うようにし、前記軒先隙間Ｓに、軒天井材７の先端部を受ける受金物１５が軒先部から離間して設けられ、受金物１５と軒先部のとのうち少なくともいずれか一方に、熱膨張耐火材２２が設けられている。したがって、十分な換気をとることができ、かつ耐火性能を備えた軒天材の換気構造を提供することことができる。【選択図】図１
2008025304.tif 000002
【特許請求の範囲】
【請求項１】
外壁本体から突出する屋根の軒天井材の先端部と、前記屋根の軒先部との間に軒先隙間が設けられており、この軒先隙間を介して換気を行うようにした軒天井の換気構造であって、
前記軒先隙間には、前記軒天井材の先端部を受ける受金物が前記軒先部から離間して設けられており、
前記受金物と前記軒先部のとのうち少なくともいずれか一方に、熱膨張耐火材が設けられていることを特徴とする軒天井の換気構造。
【請求項２】
請求項１に記載の軒天井の換気構造において、
前記受金物には、前記軒先隙間と屋根裏空間とを連通させる連通部が設けられていることを特徴とする軒天井の換気構造。
【請求項３】
請求項２に記載の軒天井の換気構造において、
前記受金物は、前記軒天井材の先端部が係合される係合金物と、この係合金物の下面と側面を覆うようにして設けられた見切金物とを備えていることを特徴とする軒天井の換気構造。
【請求項４】
請求項３に記載の軒天井の換気構造において、
前記係合金物は、前記軒天井材の先端部が係合される係合部と、この係合部を軒先部に固定する固定部とを備え、
前記見切金物は、前記係合金物の下面および側面を覆う見切部と、この見切部を軒先部に固定する固定部とを備えていることを特徴とする軒天井の換気構造。
【請求項５】
請求項４に記載の軒天井の換気構造において、
前記見切金物の見切部には、通風性を有するスリットが複数形成されており、
前記係合金物の係合部と、前記軒先部の下面との間には隙間が設けられており、
前記連通部は前記スリットと隙間によって構成されていることを特徴とする軒天井の換気構造。
【発明の詳細な説明】
【技術分野】
【０００１】
本発明は、下屋等の屋根の軒天井の換気構造に関する。
【背景技術】
【０００２】
軒天井の換気構造の一例として、特許文献１に記載の技術が知られている。この技術は、軒裏であって、軒天井材の通気孔の配設された通気面に臨む位置に、板状部材を配設して、これら軒天井材と板状部材との間に、軒天井材の通気孔と屋根裏とを連通する空気用流路を形成し、この空気用流路に加熱されることによって前記空気用流路を閉鎖し、軒天井材の通気孔と屋根裏との通気を遮断する熱発泡耐火材を設けてなることを特徴としている。これによれば、板状部材端部に熱発泡耐火材が設けられているため、隣家に火災が発生した場合等に、その炎の熱により、熱発泡耐火材が加熱されて発泡し、炎を遮断できるようになり、隣家からの延焼を確実に防止できる。
【特許文献１】特開２０００−２０４６９７号公報
【発明の開示】
【発明が解決しようとする課題】
【０００３】
ところで、上記公報に記載の軒天材の換気構造では、軒天井材が屋根の傾斜方向と平行に配置されているが、軒天井材は水平に配置する場合もある。
このような水平に配置された軒天井材では、その先端部と屋根の軒先部との間に隙間を設け、この隙間を通して換気を行うようにすればよい。一方、軒天井材の先端部は受金物等によって支持する場合があるが、この受金物を隙間全体に設けると、隙間が受金物によって占有されて、十分な換気がとれない恐れがある。
また、前記隙間に熱発泡耐火材を設けることによって、炎を遮断することができるが、隙間が受金物によって占有されると、この隙間に熱発泡耐火材を配置するのが困難となる。
【０００４】
本発明は上記事情に鑑みてなされたもので、十分な換気をとることができ、かつ耐火性能を備えた軒天材の換気構造を提供することを課題としている。
【課題を解決するための手段】
【０００５】
上記課題を解決するために、請求項１に記載の発明は、例えば図１〜図５に示すように、外壁本体１から突出する屋根（下屋）２の軒天井材７の先端部と、前記屋根２の軒先部との間に軒先隙間Ｓが設けられており、この軒先隙間Ｓを介して換気を行うようにした軒天井の換気構造であって、
前記軒先隙間Ｓには、前記軒天井材７の先端部を受ける受金物１５が前記軒先部から離間して設けられており、
前記受金物１５と前記軒先部のとのうち少なくともいずれか一方に、熱膨張耐火材２２が設けられていることを特徴とする。
【０００６】
請求項１に記載の発明によれば、屋根２の軒天井材の先端部と屋根２の軒先部との間の軒先隙間Ｓに受金物１５が設けられるが、この受金物１５は軒先部から離間して設けられているので、前記軒先隙間Ｓが受金物１５によって占有されることがない。したがって、この軒先隙間Ｓから十分な換気をとることができる。
また、受金物１５と屋根の軒先部とのうち少なくともいずれか一方に、熱膨張耐火材２２が設けられているので、火事等の際は熱膨張耐火材２２が膨張してこの軒先隙間Ｓが閉鎖される。
したがって、十分な換気をとることができ、かつ耐火性能を備えた軒天材の換気構造を提供することことができる。
【０００７】
請求項２に記載の発明は、請求項１に記載の軒天井の換気構造において、
前記受金物１５には、前記軒先隙間Ｓと屋根裏空間とを連通させる連通部２１が設けられていることを特徴とする。
【０００８】
請求項２に記載の発明によれば、受金物１５に前記軒先隙間Ｓと屋根裏空間とを連通させる連通部２１が設けられているので、この連通部２１を介して屋根裏空間の換気を確実に行える。
【０００９】
請求項３に記載の発明は、請求項２に記載の軒天井の換気構造において、
前記受金物１５は、前記軒天井材７の先端部が係合される係合金物１７と、この係合金物１７の下面と側面を覆うようにして設けられた見切金物１８とを備えていることを特徴とする。
【００１０】
請求項３に記載の発明によれば、係合金物１７に軒天井材７の先端部が係合することによって、該先端部を確実に支持することができる。また、この係合金物１７の下面と側面が見切金物１８によって覆われるので、係合金物１７が露出することがなく、軒天井材７の先端部の見切り処理が秀麗なものとなる。
【００１１】
請求項４に記載の発明は、請求項３に記載の軒天井の換気構造において、
前記係合金物１７は、前記軒天井材７の先端部が係合される係合部１７ａと、この係合部１７ａを軒先部に固定する固定部１７ｂとを備え、
前記見切金物１８は、前記係合金物１７の下面および側面を覆う見切部１８ａと、この見切部１８ａを軒先部に固定する固定部１８ｂとを備えていることを特徴とする。
【００１２】
請求項４に記載の発明によれば、係合金物１７はその固定部１７ｂによって軒先部に固定されるので、該係合金物１７によって軒天井材７の先端部を確実に支持することができる。また、見切金物１８はその固定部１８ｂによって軒先部に固定されるので、該見切金物１８を軒先部に確実に固定することができる。
【００１３】
請求項５に記載の発明は、請求項４に記載の軒天井の換気構造において、
前記見切金物１８の見切部１８ａには、通風性を有するスリット２０が複数形成されており、
前記係合金物１７の係合部１７ａと、前記軒先部の下面との間には隙間Ｓ１が設けられており、
前記連通部２１は前記スリット２０と隙間Ｓ１によって構成されていることを特徴とする。
【００１４】
請求項５に記載の発明によれば、見切金物１８の見切部１８ａに形成されたスリット２０と、係合金物１７の係合部１７ａと軒先部の下面との間に設けられた隙間Ｓ１とによって連通部２１が構成されているので、この連通部２１を介して屋根裏空間の換気を確実に行える。
【発明の効果】
【００１５】
本発明によれば、軒天井材の先端部と屋根の軒先部との間に設けられた軒先隙間に、軒天井材の先端部を受ける受金物が設けられており、この受金物は軒先部から離間して設けられているので、軒先隙間が受金物によって占有されることがなく、よって、この軒先隙間から十分な換気をとることができる。
また、受金物と屋根の軒先部とのうち少なくともいずれか一方に、熱膨張耐火材が設けられているので、火事等の際は熱膨張耐火材が膨張してこの軒先隙間が閉鎖される。
したがって、十分な換気をとることができ、かつ耐火性能を備えた軒天材の換気構造を提供することことができる。
【発明を実施するための最良の形態】
【００１６】
以下図面を参照して本発明の実施の形態について説明する。
図１は本発明に係る軒天井の換気構造の一例を示す断面図、図２は図１におけるＡ円部の拡大図、図３は図１におけるＢ円部の拡大図である。
図１に示すように、外壁本体１には、この外壁本体１から下屋２が突出して設けられており、この外壁本体１と下屋２との接合部には、耐火板３が設けられている。この耐火板３は繊維が混入したけい酸カルシウム板によって形成されており、下屋２内に侵入した炎を遮断して外壁本体１内に侵入させない、または侵入を遅延させるものである。また、下屋２のたる木４には、下地板５が取り付けられており、この下地板５上に屋根材６が敷設されている。下地材５は繊維が混入したけい酸カルシウム板によって形成されている。
【００１７】
下屋２のたる木４の下方には、軒天井材７が水平に設けられている。この軒天井材７は繊維が混入したけい酸カルシウム板によって形成されている。また、軒天井材７の裏面には野縁８が固定されており、この野縁８は吊木９によってたる木４に吊り下げられている。
前記下屋２の先端部には、鼻隠し１０と、断面略Ｌ字状に形成された軒先部材１１が設けられている。軒先部材１１は、鉛直に設けられた２枚の板材１１ａ,１１ｂと、水平に設けられた２枚の板材１１ｃ,１１ｄによって構成されており、鼻隠し１０の前面に板材１１ｂが鉛直に設けられており、鼻隠し１０の下面に板材１１ｃが水平に設けられている。
水平な板材１１ｃと板材１１ｄの外壁側（右側）を向く面は、前記鼻隠し１０の背面とほぼ面一になっており、この面と軒天井材７の先端部との間には軒先隙間Ｓが設けられている。そして、この軒先隙間Ｓを介して下屋２の内部の換気を行うようになっている。
【００１８】
前記軒先隙間Ｓには、軒天井材７の先端部を受ける受金物１５が設けられており、この受金物１５は下屋２の軒先部の下面、すなわちたる木４の先端部下面に設けられた断面三角形状の下地調整桁１６の下面に固定されている。これによって、受金物１５は下屋２の軒先部から離間して設けられている。
受金物１５は、軒天井材７の先端部が係合される係合金物１７と、この係合金物１７の下面と側面を覆うようにして設けられた見切金物１８とによって構成されている。
【００１９】
前記係合金物１７は、図２および図５に示すように、軒天井材７の先端部が係合される係合部１７ａと、この係合部１７ａを軒先部の下面、すなわち下地調整桁１６の下面に固定する固定部１７ｂとを備えている。
係合部１７ａは断面コ字状に形成されており、軒天井材７の長さ方向（図１および図２において紙面と直交する方向）に延在している。コ字状の係合部１７ａの互いに対向する片部１７ｃ,１７ｃ間の距離は、軒天井材７の厚さとほぼ等しいか若干大きくなっている。
固定部１７ｂは、係合部１７ａの長さ方向略中央部から上方に立ち上がる立上り板部１７ｄと、この立上り板部１７ｄの上端部から直角に折り曲がる水平板部１７ｅとから構成されている。そして、図２に示すように、固定部１７ｂの水平板部１７ｅが前記下地調整桁１６の下面に当接されたうえで、釘１９によって固定されている。この状態において、係合金物１７の係合部１７ａは内側（図２において右側）に開口しており、この係合部１７ａの片部１７ｃ,１７ｃ間に軒天井材７の先端部が挿入されることによって、係合部１７ａに軒天井材７の先端部が係合されている。これによって、軒天井材７の先端部は係合金物１７によって支持されている。
また、図５（ｂ）に示すように、係合金物１７の係合部１７ａと、下地調整桁１６の下面との間には隙間Ｓ１が設けられている。この隙間Ｓ１は、係合金物１７の固定部１７ｂの両側に設けられており、この隙間Ｓ１を通して下屋２の内部つまり屋根裏空間と前記隙間Ｓが連通されている。
【００２０】
前記見切金物１８は、図２および図４に示すように、係合金物１７の下面および側面を覆う見切部１８ａと、この見切部１８ａを軒先部の下面すなわち下地調整桁１６の下面に固定する固定部１８ｂとを備えている。
見切部１８ａは断面略Ｌ字状に形成されており、その縦片部１８ｃによって係合金物１７の側面を覆い、横片部１８ｄによって係合金物１７の下面を覆うようになっている。また、横片部１８ｄの先端部には、垂直に立ち上がる立上り部１８ｅが形成されており、この立上り部１８ｅは係合金物１７の下側の片部１７ｃの先端部に当接するようになっている。
また、見切部１８ａの縦片部１８ｃには、通風性を有する縦長のスリット１９が見切部１８ａの長手方向に沿って所定間隔で多数形成されている。そして、これらスリット１９と、前記隙間Ｓ１とによって、軒先隙間Ｓと屋根裏空間とを連通させる連通部２０が構成されている。
【００２１】
また、前記下屋２の軒先部の板材１１ｃには、加熱されることによって膨張して前記軒先隙間Ｓを閉鎖する熱膨張耐火材２２が予め設けられている。この熱膨張耐火材２２は、グラファイト系材料からなり、約２００度以上に熱せられると発泡し、例えば２〜３ｍｍ厚で約１５〜２０倍に膨張するものである。
【００２２】
また、外壁本体１には、受金物２３が固定されている。この受金物２３は、図３に示すように、上板部２３ａと、下板部２３ｂと、これら上下の板部２３ａ，２３ｂを連結する垂直板部２３ｃとから一体的に構成されている。上板部２３ａは略へ字状に形成されており、その先端部が軒天井材７の基端部上面に当接している。下板部２３ｂは平板状に形成されており、軒天井材７の基端部下面に当接している。軒天井材７の基端部は、上板部２３ａと下板部２４ｂとの間に挿入され、これら上下の板部２３ａ，２３ｂによって挟持されている。また、受金物２３はその垂直板部２３ｃを釘２４を外壁本体１に打ち込むことによって、該外壁本体１に固定されている。
【００２３】
軒天井材７は、前記下屋２の軒先部に設けられた受金物１５と、外壁本体１に固定された受金物２３とによって水平に支持されている。受金物１５,２３は軒先方向（図１において紙面と直交する方向）に延在しており、これら受金物１５,２３に支持される軒天井材７は、軒先方向において接合されている。つまり、図６に示すように、一方の軒天井材７の端面には、凹溝７ａが形成され、他方の軒天井材７の端面には、凸条７ｂが形成され、凸条７ｂを凹溝７ａに嵌合することによって、軒天井材７,７どうしが接合されている。
【００２４】
本実施の形態によれば、下屋２の軒天井材７の先端部と下屋２の軒先部との間の軒先隙間Ｓに受金物１５が設けられるが、この受金物１５は軒先部から離間して設けられているので、軒先隙間Ｓが受金物１５によって占有されることがない。したがって、この軒先隙間Ｓから十分な換気をとることができる。
また、受金物１５と下屋２の軒先部に、熱膨張耐火材２２が設けられているので、火事等の際は熱膨張耐火材２２が膨張してこの軒先隙間Ｓが閉鎖される。
したがって、十分な換気をとることができ、かつ耐火性能を備えた軒天材の換気構造を提供することことができる。
【００２５】
また、受金物１５に軒先隙間Ｓと屋根裏空間とを連通させる連通部２１が設けられているので、この連通部２１を介して屋根裏空間の換気を確実に行える。
さらに、係合金物１７に軒天井材７の先端部が係合することによって、該先端部を確実に支持することができる。また、この係合金物１７の下面と側面が見切金物１８によって覆われるので、係合金物１７が露出することがなく、軒天井材７の先端部の見切り処理が秀麗なものとなる。
加えて、係合金物１７はその固定部１７ｂによって軒先部の下面に固定されるので、該係合金物１７によって軒天井材７の先端部を確実に支持することができる。また、見切金物１８はその固定部１８ｂによって軒先部の下面に固定されるので、該見切金物１８を軒先部の下面に確実に固定することができる。
また、見切金物１８の見切部１８ａに形成されたスリット２０と、係合金物１７の係合部１７ａと軒先部の下面との間に設けられた隙間Ｓ１とによって連通部２１が構成されているので、この連通部２１を介して屋根裏空間の換気を確実に行える。
【００２６】
なお、本実施の形態では、本発明に係る軒天井の換気構造を下屋２に適用した場合を例にとって説明したが、本発明は通常の屋根で、外壁本体から突出する軒先の軒天井の換気構造に適用することもできる。
【図面の簡単な説明】
【００２７】
【図１】本発明に係る軒天井の換気構造の一例を示すもので、その断面図である。
【図２】同、図１におけるＡ円部の拡大図である。
【図３】同、図１におけるＢ円部の拡大図である。
【図４】同、見切金物を示すもので、（ａ）は断面図、（ｂ）は側面図である。
【図５】同、係合金物を示すもので、（ａ）は断面図、（ｂ）は側面図である。
【図６】同、軒天井材どうしの接合部を示す断面図である。
【符号の説明】
【００２８】
１  外壁本体
２  下屋（屋根）
７  軒天井材
１５  受金物
１７  係合金物
１７ａ  係合部
１７ｂ  固定部
１８  見切金物
１８ａ  見切部
１８ｂ  固定部
２０  スリット
２１  連通部
２２  熱膨張耐火材
Ｓ  軒先隙間
Ｓ１  隙間
【図１】
2008025304.tif 000003
【図２】
2008025304.tif 000004
【図３】
2008025304.tif 000005
【図４】
2008025304.tif 000006
【図５】
2008025304.tif 000007
【図６】
2008025304.tif 000008